(57)【要約】      （修正有）【課題】廉価及び簡易な構成であって、生花と同等の自然な外観や質感を有し、祭壇表面を所望の起伏形状になるように装飾して豪華で荘厳な印象を与える葬祭用祭壇を提供する。【解決手段】花祭壇２０は、プリザーブドフラワーの花冠１１を備えた加工花１０により装飾された２段の階段状の祭壇２１，２２と、遺影写真２４を中央に配した略半球形状に形成された祭壇２３とを有している。加工花１０は、花冠１１と模造萼とが固着されており、模造萼と模造茎とは着脱可能に取り付けられている。花冠１１の高さや向き等を決定する模造茎は、それぞれ長さが異なり、任意の角度及び形状にやや屈曲している。これにより、平坦な土台であっても、プリザーブドフラワーの花冠１１の配置を変えて、花祭壇２０の表面の起伏形状や模様を自由に形成することができ、奥行があり立体的で豪華で荘厳な花祭壇２０を制作することができる。【選択図】図４
2015077200.tif 000002
【特許請求の範囲】
【請求項１】
花と該花を設置して装飾される土台とを備える葬祭用祭壇であって、
前記花の少なくとも一部を、
プリザーブドフラワーの花冠と該花冠に固着された模造の萼と該萼に着脱自在に取り付けられた模造の茎とからなる加工花とし、
該加工花を前記花冠の配置を構成する前記茎の長さを変えて前記土台に複数設置し、
前記加工花により前記祭壇の表面を所望の起伏形状になるように装飾したことを特徴とする葬祭用祭壇。
【請求項２】
前記茎を折り曲げて前記花冠の向き又は角度を変えることを特徴とする請求項１に記載の葬祭用祭壇。
【請求項３】
前記花の一部を前記加工花とし、前記花の他の一部を生花とすることを特徴とする請求項１又は２に記載の葬祭用祭壇。
【発明の詳細な説明】
【技術分野】
【０００１】
本発明は、葬祭用の祭壇に係り、特に、祭壇を装飾する花としてプリザーブドフラワーを利用した葬祭用祭壇に関する。
【背景技術】
【０００２】
従来から、葬儀の形態も様々になってきており、葬祭用の祭壇として、生花を使用した花祭壇を選択する需要者も増えてきている。
多数の生花により装飾された花祭壇は、以前は社葬等の大規模で盛大な葬儀のおいて利用されていたが、故人の個性を重視した自由度の高い葬儀を施行できる点、特定の宗教にとらわれることがない点等が広く受け入れられ、最近では一般的にも普及してきている。
【０００３】
花祭壇は、予算に応じて、生花の種類の選択や色の指定、祭壇自体の大きさやデザインの設計が自由にできる。
例えば、白色のキクだけでなく、色とりどりのバラやユリ等、季節に応じた種々の生花を使って、直線や曲線を自由に使った立体的で個性的なデザインの祭壇を制作することもできる。
【０００４】
しかしながら、花祭壇を装飾する生花は、単価が高いうえ、日持ちが悪く長期間鮮度を維持することができないので再利用が困難である。
そのため、参列者に豪華で荘厳な印象を与えるように生花の本数を多くすると、祭壇のコストが非常に高くなるという問題がある。
一方、予算に応じて自由に設計できるといっても、予算を削減して生花の本数を少なくすると、希望した通りの祭壇からは程遠く、豪華や荘厳さを欠くことにもなりうる。
【０００５】
また、花祭壇を装飾する供花として、生花に替えて造花を使用する方法もある。
しかし、造花の場合は、コストを削減することはできるが、人工的で安価な印象を与えたり、見た目の自然さを欠く。
そのため、豪華さや荘厳さにおいて生花を用いる場合よりも見劣る点は否めず、豪華で荘厳な印象の祭壇を求める需要者からは敬遠される傾向にある。
【０００６】
そこで、さらに近年では、生花や造花に替えてプリザーブドフラワーを利用した花祭壇等の葬祭用祭壇も徐々に広まってきている。
プリザーブドフラワーであれば、生花と同等の自然な外観や質感を有するので、生花と比べても遜色ない見栄えが得られるうえ、その美しさや瑞々しさを長期間維持できることから再利用も可能である。そのため、プリザーブドフラワーを利用した場合、祭壇のコストを抑えつつ、豪華で荘厳な祭壇を構成することができる。
【０００７】
例えば、特許文献１には、本願発明者により、プリザーブドフラワーの花冠を有する供花をスロープ状の供花台に取り付けた葬祭用祭壇が開示されている（特許文献１）。
また、特許文献２には、祭壇の起伏形状を形成した土台部にプリザーブドフラワーからなる花冠のみを立設した花飾り装飾部を有する葬儀用祭壇が開示されている（特許文献２）。
【先行技術文献】
【特許文献】
【０００８】
【特許文献１】特開２０１２−７１０１５号公報
【特許文献２】特開２００９−２８５２７１号公報
【発明の概要】
【発明が解決しようとする課題】
【０００９】
しかしながら、特許文献１の葬祭用祭壇においては、プリザーブドフラワーの花冠を備えた供花を、スロープ状の供花台のスロープ面に差し込む必要があり、祭壇を豪華で荘厳な印象の外観にするためには、供花台の形状が限定されてしまう。
また、プリザーブドフラワーの花冠が傷んだとき等には、供花自体を供花台から取外して付け替える必要がある。
【００１０】
特許文献２の葬儀用祭壇においては、プリザーブドフラワーの花冠部分のみを直接土台部に挿入して立設しているため、外観上、葉や茎といった緑色の部分がなく、生花から成る祭壇と比べると祭壇全体として見た目の自然さを欠くという問題がある。
また、土台部に花冠部分を挿入して立設することにより祭壇を構成しているので、祭壇表面の形状がその土台部の形状に限定されてしまう。そのため、祭壇表面に種々の起伏形状を形成した立体的で個性的な祭壇を製作する際には、花を飾る土台部の形状をその祭壇の起伏形状に合わせてわざわざ個別に作成する必要がある。
したがって、複雑な起伏形状の祭壇の場合は、それに合わせた土台部を作成することが非常に手間であるうえ、種々のバリエーションの祭壇を作る場合は、それらの形状に適合した土台部をそれぞれ用意しなければならないという問題がある。
【００１１】
本発明は、上記の課題に鑑みてなされたものであり、本発明の目的は、廉価及び簡易な構成であって、生花と同等の自然な外観や質感を有し、祭壇表面を所望の起伏形状になるように装飾して豪華で荘厳な印象を与える葬祭用祭壇を提供することにある。
【課題を解決するための手段】
【００１２】
前記課題は、本発明の葬祭用祭壇によれば、花と該花を設置して装飾される土台とを備える葬祭用祭壇であって、前記花の少なくとも一部を、プリザーブドフラワーの花冠と該花冠に固着された模造の萼と該萼に着脱自在に取り付けられた模造の茎とからなる加工花とし、該加工花を前記花冠の配置を構成する前記茎の長さを変えて前記土台に複数設置し、前記加工花により前記祭壇の表面を所望の起伏形状になるように装飾したこと、により解決される。
【００１３】
上記構成のように、本発明では、プリザーブドフラワーの花冠と模造の萼とを接着剤等で固着し、その模造の萼と模造の茎とを着脱自在に取り付けるようにしたので、プリザーブドフラワーの花冠及び模造の萼と模造の茎とを簡単に取外すことができ、花冠の交換も容易にできる。
したがって、プリザーブドフラワーの花冠が痛んだとき等には、その花冠だけを簡単に取り換えることができる。また、プリザーブドフラワーの花冠だけ交換して、花冠の種類や色を変えることにより、加工花自体を土台から外して付け替える必要もなく、種々の模様のデザインの祭壇を簡単に制作することができる。
また、プリザーブドフラワーの花冠自体を萼や茎等の模造部材と直接着脱可能とすると、その取付箇所が脆くなりがちであるが、本発明では、プリザーブドフラワーの花冠と固着した模造の萼を介して模造の茎と着脱可能とすることにより、その取付箇所が頑丈となる。
【００１４】
また、本発明では、プリザーブドフラワーの花冠に取り付けられた模造の茎の長さを変えることにより、花冠の高さや向き等の花冠の配置を自由に変えることができ、プリザーブドフラワーの花冠により形成される祭壇の表面の起伏形状や模様を好適に表現することができる。
従来では、立体的な起伏形状の祭壇を作る際には、花を飾る土台の形状をその祭壇の形状に合わせて作成していたため、種々のバリエーションの祭壇を作る際には、それぞれの形状に沿った土台を用意する必要があり手間であった。
これに対し、本発明では、プリザーブドフラワーの花冠の配置は模造の茎の長さによって決定されるので、平坦な土台であっても、プリザーブドフラワーの花冠の配置を変えて祭壇の表面の起伏形状や模様を自由に形成することができるので、奥行があり立体的で豪華で荘厳な祭壇を制作することができる。
すなわち、種々の形状や高さの土台が不要になるので、複雑な形状の土台を作成する手間を省くことができるうえ、一つの定型な土台に統一しても、葬儀ごとに他には無い特徴的かつ個性的でバリエーション豊かなデザインの祭壇を容易に制作することができる。
特に、生花の茎であれば、自然物であることや剛性の問題等から茎の長さを変えることにも限度があり、長過ぎると強度が弱まり折れたりして任意のデザインを好適に実現できない等の問題があるが、本発明では、剛性の強い模造の茎としているので、何ら制約も無くその模造の茎の長さを自由に変えることができる。
【００１５】
このとき、前記茎を折り曲げて前記花冠の向き又は角度を変えること、が好適である。
生花の場合は茎を折り曲げると折れてしまうが、本発明は、模造の茎を使用しているので容易に折り曲げることができるうえ、その折り曲げた状態で形状を保持することもできる。
上記構成により、加工花を土台に差し直す必要もなく花冠の向きや角度を任意の方向に簡単に変えることができるので、微妙な変更等にも容易に対応でき、祭壇のデザインの自由度が増す。
【００１６】
このとき、前記花の一部を前記加工花とし、前記花の他の一部を生花とすること、が好適である。
本発明は、プリザーブドフラワーの花冠であるので、造花とは異なり参列者も生花との見分けが簡単にできないので、生花を一部に混ぜても見た目が自然な祭壇となる。
上記構成により、棺に入れるための生花を祭壇の一部に設置できるので、出棺の際にその祭壇から生花を採取することができ、葬儀を円滑に進行することができる。
【発明の効果】
【００１７】
本発明の葬祭用祭壇によれば、廉価及び簡易な構成であって、生花と同等の自然な外観や質感を有し、祭壇表面を所望の起伏形状になるように装飾して豪華で荘厳な印象を与えることができる。
【図面の簡単な説明】
【００１８】
【図１】プリザーブドフラワーの花冠を有する加工花の斜視図である。
【図２】図１に示すプリザーブドフラワーの花冠を有する加工花の分解斜視図である。
【図３】図１に示すプリザーブドフラワーの花冠を有する加工花の部分拡大断面図である。
【図４】本発明の第１実施例に係る葬祭用祭壇の概略構成を示す正面図である。
【図５】図４に示す葬祭用祭壇のＡ−Ａ線略断面図である。
【図６】花祭壇の他の形態を示す略断面図である。
【図７】本発明の第２実施例に係る葬祭用祭壇の概略構成を示す正面図である。
【図８】本発明の第２実施例に係る葬祭用祭壇の概略構成を示す側面図である。
【図９】本発明の第３実施例に係る葬祭用祭壇の概略構成を示す正面図である。
【図１０】本発明の第４実施例に係る葬祭用祭壇の概略構成を示す正面図である。
【発明を実施するための形態】
【００１９】
以下、本発明に係る葬祭用祭壇の一実施形態について、添付の図面を参照して具体的に説明する。なお、以下に説明する部材、配置等は、本発明を限定するものではなく、本発明の趣旨に沿って各種改変することができる。
【００２０】
本実施形態は、祭壇を装飾する花としてプリザーブドフラワーを利用した葬祭用祭壇の発明に関するものである。
図１は、本実施形態に係る葬祭用祭壇１に利用されるプリザーブドフラワーの花冠１１を有する加工花１０（以下、単に「加工花１０」という。）の斜視図である。図２は、その加工花１０の花冠１１と模造萼１２とを模造茎１５から取り外した状態を示す分解斜視図である。図３は、加工花１０の要部を示す部分拡大断面図である。
図１乃至図３に示すように、加工花１０は、主として花冠１１と模造萼１２と模造茎１５とから構成される。
【００２１】
花冠１１は、特殊液によって生花の水分を抜いて保存処理を施したプリザーブドフラワーである。
プリザーブドフラワーとは、生花を原料とし、例えば、着色剤やポリエチレングリコール等の有機溶剤を混合した薬剤を一枚一枚の花弁に吸収させて、保存防腐処理を施すと共に任意の色に染色した後、乾燥させて、各花弁を組み合わせて元の花冠の形状に整えることにより製造されたものである（プリザーブド処理）。
このように、プリザーブドフラワーは、生花の水分が有機溶剤を混ぜた薬剤に置換されるため、生花のように、枯れたり萎れたり等の短期劣化することなく、比較的長期間にわたって生花と同様の美しさや瑞々しい質感と柔らかさを維持することができる。
【００２２】
本実施例においては、このプリザーブドフラワーの花冠１１として、バラの花を用いており、例えば白色染料により全体に着色処理が施されている。
なお、花冠１１として採用する花の種類は、バラに限らず、プリザーブド処理できる花であれば何でも良く、例えば、キクやユリ等でも良い。また、季節に応じて種々の花を選択することができる。
【００２３】
模造萼１２は、緑色に着色した合成樹脂等により植物の萼を模造して形成されたものであり、図３に示すように、萼本体１３とその萼本体１３の外側（下側）に取付けられた萼片１４とからなる。
萼本体１３の上側表面は花冠１１の下面側に対応して花冠１１を保持できる形状となっている。
萼本体１３には、その略中央付近を上下方向に延びて貫通する略円筒形状の芯棒部１３ａが設けられている。芯棒部１３ａは、その上下端面が開口しており、その内径は、後述する模造茎１５に形成された挿入部１５ｃの外形と略同一径となっている。
なお、萼片１４は装飾用であり、この萼片１４を付けることにより、加工花１０はより実物の生花に近い本格的な形状となる。この萼片１４には強度はそれほど必要ではないので、紙製や布製のものであってもよい。
【００２４】
模造茎１５は、図３に示すように、例えば、針金を芯材１５ａとして、その針金を緑色に着色した合成樹脂等で被覆することにより、植物の茎を模造して形成されたものである。
模造茎１５からは、合成樹脂等からなる葉柄１６が伸延しており、その葉柄１６には合成樹脂等からなる葉１７が付設している。なお、葉柄１６は模造茎１５と一体成形としても良いし、模造茎１２の外表面に切込み部分を形成し、その切込み部分に葉柄１６を差し込むように装着する構成としても良い。
模造茎１５の上端側には、肩部１５ｂとその肩部１５ｂから突出した挿入部１５ｃが設けられている。挿入部１５ｃは、模造茎１５と連続的に形成されており、上述の模造萼１２に設けられている略円筒形状の芯棒部１３ａの内径と略同一径を有する。
【００２５】
上記構成の模造茎１５は、直径約５ｍｍ程度が好ましいが、例えば同じくらいの径であるバラやキク等の実際の生花の茎よりも剛性が高くなるので、模造茎１５の長さを長くしても花冠１１がその重みで垂れ下がったり、途中で折れたりすることもなく、その長さを自由自在に調整できる。
また、容易に折り曲げることができるうえ、その折り曲げた状態で形状を保持することもできる。
【００２６】
なお、模造茎１５は、上記構成のような針金に合成樹脂等を被覆したものに限らず、針金を緑色に着色したテープ等で被覆しても良いし、単なる合成樹脂製の棒状部材とすることもできる。
また、葉柄１６や葉１７は、模造茎１５とは異なり特に剛性を高くする必要はないので、合成樹脂製のものの代わりに、例えば紙製や布製のものも用いることができる。
【００２７】
上記部材から成る加工花１０は、図２の分解図に示すように、花冠１１と模造萼１２とが固着されており、模造萼１２と模造茎１５とは着脱可能に取り付けられている。
【００２８】
具体的には、図３の断面図に示すように、花冠１１の下面側と、模造萼１２の萼本体１３の上側表面とは、接着剤１８にて固着されている。すなわち、接着材１８を介して花冠１１の下面側が萼本体１３の上側表面と当接することにより、固着されている。
【００２９】
花冠１１を固着した模造萼１２と、模造茎１５とは、模造萼１２に略円筒形状に形成された芯棒部１３ａの開口した下端面１３ｂ側から、模造茎１５に形成された挿入部１５ｃを嵌挿させることにより、取付けている。
このとき、模造萼１２の芯棒部１３ａの下端面１３ｂは、模造茎１５の肩部１５ｂと当接した状態となる。
挿入部１５ｃは、その外周面が略円筒形状の芯棒部１３ａの内壁に当接した状態で、芯棒部１３ａの内部に収容される。このとき、挿入部１５ｃは芯棒部１３ａの内壁によって圧接されて、模造萼１２と嵌合されている。
このように、模造萼１２と模造茎１５とは、接着剤等の固着手段を用いることなく連結されているので、容易に取付けたり取外したりすることができる。
【００３０】
次に、上述の加工花１０を利用した葬祭用祭壇１について説明する。
図４は、葬祭用祭壇１の概略構成を示す正面図である。図４に示すように、本実施例の葬祭用祭壇１は、上述の加工花１０によって装飾された花祭壇２０を主として中央に配し、その花祭壇２０の両側に多数の供花３０を配置することによって構成されるものである。
【００３１】
中央の花祭壇２０は、加工花１０により装飾された、前段と後段とから構成された２段の階段状の祭壇２１，２２と、その後方（奥側）に祭壇２１，２２よりもさらに高い位置に形成され、遺影写真２４を中央に配した略半球形状に形成された祭壇２３とを有している。すなわち、階段状の祭壇２１，２２の最上段に略半球形状の祭壇２３を備える構成となる。
前段の祭壇２１は、後段の祭壇２２と比べて相対的に幅広である。また、後段の祭壇２２は、最上段の祭壇２３と比べて相対的に幅広である。
なお、祭壇２１，２２には、白色のプリザーブドフラワーから成る花冠１１を備えた加工花１０を全体的に配し、祭壇２３には、色とりどりのプリザーブドフラワーから成る花冠１１を備えた加工花１０を配している。
【００３２】
花祭壇２０は、図５のＡ−Ａ線略断面図に示すように、２種類の高さの土台２５，２６に複数の加工花１０を立設することにより形成されている。
土台２５は加工花１０によって装飾されることにより祭壇２１となり、土台２６は加工花１０によって装飾されることにより祭壇２２となる。
【００３３】
本実施例においては、土台２５，２６は、金属性の躯体の上面に取付孔２７を複数形成したものとし、前方に相対的に高さの低い土台２５、後方に相対的に高さの高い土台２６を配置している。
それぞれの土台２５，２６の取付孔２７には、加工花１０の模造茎１５を下端側から挿入することにより立設している。
このとき、模造茎１５の一部は、その外周面が取付孔２７の内壁に当接した状態で、取付孔２７内に収容されており、模造茎１５の一部は取付孔２７の内壁によって圧接されて、土台２５，２６に嵌合されている。
【００３４】
土台２５，２６に立設された加工花１０は、それぞれ模造茎１５の長さが異なる。また、模造茎１５はそれぞれ任意の角度及び形状にやや屈曲したままその形状を維持しており、花冠１１の向き（角度）をそれぞれ変えている。
なお、本実施例においては、剛性の高い模造茎１５を使用しているので、花冠１１がその重みにより垂れ下がったりして花祭壇２０のデザインを損なうこともない。
【００３５】
このように、本実施例においては、プリザーブドフラワーの花冠１１に取り付けられた模造茎１５の長さを変えたり折り曲げることにより、花冠１１の高さや向き等の花冠１１の配置を自由に変えることができる。
そのため、本実施例のような平坦な土台２５，２６であっても、プリザーブドフラワーの花冠１１の配置を変えて、その花冠１１により形成される花祭壇２０の表面の起伏形状や模様を自由に形成することができ、奥行があり立体的で豪華で荘厳な花祭壇２０を制作することができる。
また、加工花１０を土台に差し直す必要もなく花冠１１の向きや角度を任意の方向に簡単に変えることができるので、複雑な起伏形状や微妙な変更等にも容易に対応でき、花祭壇２０のデザインの自由度が増す。
【００３６】
また、本実施例の花祭壇２０に設置した加工花１０の構成であれば、プリザーブドフラワーの花冠１１の合間から模造茎１５や模造の葉１７が垣間見れる。
そのため、模造茎１５や模造の葉１７の緑色の中にプリザーブドフラワーの花冠１１の美しさや華やかさがより際立って映るうえ、生花によって装飾したときと同様、自然な外観の花祭壇２０となる。
【００３７】
なお、模造茎１５を取付孔２７に挿入した後、その取付箇所を接着剤等により固着すれば、より安定的に保持することができる。
本実施例においては、模造茎１５を土台２５，２６に接着剤等により固着しても、花冠１１と模造茎１５とが着脱自在の構成となっているので、プリザーブドフラワーの花冠１１が傷んだとき等には、その花冠１１だけを個別に交換することができる。
また、花祭壇２０の配色や全体的な印象を変更したいとき等にも、花冠１１だけを簡単に交換して、花の種類や色を変更することができる。
【００３８】
また、土台２５，２６は、加工花１０が立設できる構成であれば、如何なるものでも良い。
例えば、図６に示す花祭壇２０の変形例の略断面図のように、外表面のいずれの箇所にも加工花１０を挿すことができる発砲スチロール製の部材から成る土台２８でも構わない。
【００３９】
図６に示す花祭壇１２０では、土台２８の上面２８ａ及び前方側の側面２８ｂに模造茎１５の長さの異なる複数の加工花１０を種々の角度で挿すことにより、プリザーブドフラワーの花冠１１の配置（高さ及び向き）を変えて、その花冠１１によって花祭壇１２０の表面に複雑で立体的な起伏形状を形成することができる。
特に、土台２８の側面２８ｂに加工花１０を挿した場合、加工花１０の挿入角度が地面に対して鋭角となるが、本実施例の加工花１０であれば模造茎１５の剛性が高いため、土台２８の側面２８ｂに挿しても加工花１０が折れたり、花冠１１が垂れ下がったりすることもなく、好適に保持することができ、花祭壇１２０を自由にデザインすることができる。
【００４０】
なお、本実施例においては、香炉、燭台、御盛物等を載置するための小祭壇４０を別途設けたが、土台２５，２６には、加工花１０に限らず、香炉、燭台、御盛物等、その他種々の装飾品を載置することもできる。
また、各種宗教に応じたデザインも可能であり、例えば、仏教式であれば寺院本堂の須弥壇を模したような装飾物を花祭壇２０上に設置することもできる。
【００４１】
また、花祭壇２０を全て加工花１０で装飾しても良いが、その一部を加工花１０ではなく、生花により装飾しても良い。
これにより、棺に入れるための生花を花祭壇２０の一部に設置できるので、出棺の際にその花祭壇２０から生花を直接採取することができ、葬儀を円滑に進行することができる。
また、本実施例の加工花１０はプリザーブドフラワーの花冠１１を有するものであるので、布や樹脂製の造花とは異なり参列者も生花との見分けが簡単にできないので、生花を一部に混ぜても見た目が自然な花祭壇２０となる。
【００４２】
中央に設置した花祭壇２０の両側には、多数の供花３０が配置されている。この供花３０は、差出人の名前を記した木札３１を備えている。
供花３０は、一般的には生花となるが、本実施例では、主の花祭壇２０には、生花と比較しても、見た目や質感等に遜色のないプリザーブドフラワーの花冠１１を有する加工花１０を用いているので、葬祭用祭壇１全体として、参列者が違和感を感じることもない。
なお、供花３０として、花祭壇２０と同様、プリザーブドフラワーの花冠１１を有する加工花１０を用いても構わない。
【００４３】
このように、本実施例の葬祭用祭壇１（花祭壇２０）においては、生花に替えて、又は生花と共に、プリザーブドフラワーの花冠１１を備える加工花１０を利用している。
プリザーブドフラワーの花冠１１を備える加工花１０であれば、生花と同等の自然な外観や質感を有するので、生花と比べても遜色ない見栄えが得られるうえ、その美しさや瑞々しさを長期間維持できるので再利用も可能である。
したがって、祭壇のコストを抑えつつ、豪華で荘厳な祭壇を構成することができる。
【００４４】
＜第２実施例＞
次に、本発明の第２実施例に係る葬祭用祭壇２について図７及び図８に基づいて説明する。
図７は、本発明の第２実施例に係る葬祭用祭壇２の概略構成を示す正面図であり、図８は、本発明の第２実施例に係る葬祭用祭壇２（花祭壇２２０）の概略構成を示す側面図である。なお、説明の便宜上、図８において、加工花１０の葉及びその他装飾用の花等については記載を省略した。
また、以下の説明において、特徴の差異を明確にするため、上記実施形態と重複する内容については説明を省略する。
【００４５】
この第２実施例に係る葬祭用祭壇２における花祭壇２２０では、白色、赤色等、色とりどりのプリザーブドフラワーから成る花冠１１を備えた加工花１０を土台２２５，２２６，２２７，２２８に設置することにより構成している。
【００４６】
具体的には、花祭壇２２０の最上段であって中央部分には、前方が低くなるように緩やかな傾斜を形成した土台２２５に、模造茎１５の長さや角度がそれぞれ異なる加工花１０を複数立設することにより、正面から見てハート型の祭壇２２１を構成している。祭壇２２１の中央には、遺影写真２４を配置している。
【００４７】
また、そのハート型の祭壇２２１の周囲には、祭壇表面を立体的で複雑な起伏形状とする高さの異なる２段の祭壇２２２，２２３を有している。
ハート型の祭壇２２１に近い方に位置する上段の祭壇２２２は、前方が低くなるように緩やかな傾斜を形成した土台２２６に、模造茎１５の長さや角度がそれぞれ異なる加工花１０を複数立設することにより、祭壇表面に曲線的で滑らかな起伏形状を形成している。
ハート型の祭壇２２１から遠い方に位置する下段の祭壇２２３は、平坦な土台２２７に、模造茎１５の長さや角度がそれぞれ異なる加工花１０を複数立設することにより、祭壇表面に曲線的で滑らかな起伏形状を形成している。
【００４８】
花祭壇２２０は、この祭壇２２２，２２３により、祭壇表面をハート型の祭壇２２１から前方向及び左右方向に波状に広がるように形成している。
上段の祭壇２２２はハート型の祭壇２２１よりも幅広に形成されており、下段の祭壇２２３は上段の祭壇２２２よりもさらに幅広に形成されている。
さらに、花祭壇２２０の最前列となる祭壇２２３の前方には、平坦な土台２２８に模造茎１５の長さや角度がそれぞれ異なる加工花１０を複数立設した祭壇２２４が形成されている。
なお、花祭壇２２０の後方には、供花１３０が配置されている。
【００４９】
この第２実施例に係る花祭壇２２０においては、平坦又は緩やかな傾斜を付けた土台にプリザーブドフラワーから成る花冠１１を備えた加工花１０を、模造茎１５の長さや角度を変えて複数設置することにより、祭壇表面に複雑な起伏形状及び模様を形成している。
特に、土台２２５，２２６のように傾斜を付けた場合でも、模造茎１５の長さを変えることにより、花冠１１の位置が自在となるので、土台の形状を超えてさらに立体的で奥行のある表現豊かな起伏形状を祭壇表面に形成することができる。
また、この第２実施例に係る花祭壇２２０においても、祭壇表面には、プリザーブドフラワーの花冠１１の隙間から模造茎１５や模造の葉１７等が垣間見れており、より自然な外観を演出している。
【００５０】
＜第３実施例＞
次に、本発明の第３実施例に係る葬祭用祭壇３について図９に基づいて説明する。図９は、本発明の第３実施例に係る葬祭用祭壇３の概略構成を示す正面図である。
この第３実施例に係る葬祭用祭壇３における花祭壇３２０では、白色、赤色等、色とりどりのプリザーブドフラワーから成る花冠１１を備えた加工花１０を土台（図示略）に設置し、祭壇表面を波型をイメージするような複雑な起伏形状とする祭壇３２１を構成した。
また、その祭壇３２１の後方には、祭壇３２１よりも相対的に高い位置に形成され、立体的でボリュームのある略半球形状に形成された祭壇３２２を構成した。その祭壇３２２の中央には遺影写真２４が配置されている。
なお、祭壇３２２の両側には、供花３３０が配置されている。
【００５１】
この第３実施例に係る花祭壇３２０においても、土台（図示略）は平坦なものを使用し、その土台にプリザーブドフラワーから成る花冠１１を備えた加工花１０を、模造茎１５の長さや角度を変えて複数設置することにより、祭壇表面の起伏形状及び模様を形成している。
また、この第３実施例に係る花祭壇３２０においても、祭壇表面には、プリザーブドフラワーの花冠１１の隙間から模造茎１５や模造の葉１７等が垣間見れており、より自然な外観を演出している。
【００５２】
＜第４実施例＞
次に、本発明の第４実施例に係る葬祭用祭壇４について図１０に基づいて説明する。図１０は、本発明の第４実施例に係る葬祭用祭壇４の概略構成を示す正面図である。
この第４実施例に係る葬祭用祭壇４における花祭壇４２０では、白色、赤色等、色とりどりのプリザーブドフラワーから成る花冠１１を備えた加工花１０を土台（図示略）に設置し、祭壇表面を起伏や丘が連続的に続く丘陵形状とする祭壇４２１を構成した。
また、その祭壇４２１の後方には、祭壇４２１よりも相対的に高い位置に形成され、表面に起伏形状を有する略半球形状に形成された祭壇４２２を構成した。その祭壇４２２の中央には遺影写真２４が配されている。
なお、祭壇４２２両側には、木札４３１を備えた複数の供花４３０が配置されている。
【００５３】
この第４実施例に係る花祭壇４２０も、土台（図示略）は平坦なものを使用し、その土台にプリザーブドフラワーから成る花冠１１を備えた加工花１０を、模造茎１５の長さや角度を変えて複数設置することにより、祭壇表面の起伏形状及び模様を形成している。
また、この第４実施例に係る花祭壇４２０においても、祭壇表面には、プリザーブドフラワーの花冠１１の隙間から模造茎１５や模造の葉１７等が垣間見れており、より自然な外観を演出している。
【００５４】
上述した第１実施例乃至第４実施例のように、本発明の葬祭用祭壇であれば、統一された定型な土台であっても、葬儀ごとに他には無い特徴的かつ個性的でバリエーション豊かなデザインの祭壇を容易に制作することができる。
特に、土台が限定されないので、祭壇の大きさや寸法も自在であり、豪華で荘厳な大型の葬祭用祭壇のみならず、需要に応じて小型の葬祭用祭壇（花祭壇）であっても制作することが可能である。
【００５５】
以上、本発明を実施形態に基づき具体的に説明したが、上記の実施形態は、本発明の理解を容易にするための一例に過ぎず、本発明は上記実施形態に限定されるものではない。
例えば、上述した第１実施例乃至第４実施例は、本発明が適用できる葬祭用祭壇のデザインの一例である。
したがって、本発明は、その趣旨を逸脱することなく、変更、改良され得ると共に、本発明にはその等価物が含まれることは勿論である。
【符号の説明】
【００５６】
１，２，３，４    葬祭用祭壇
１０    加工花
１１    花冠
１２    模造萼
１３    萼本体
１３ａ    芯棒部
１３ｂ    下端面
１４    萼片
１５    模造茎
１５ａ    芯材
１５ｂ    肩部
１５ｃ    挿入部
１６    葉柄
１７    葉
１８    接着剤
２０    花祭壇
２１    祭壇
２２    祭壇
２３    祭壇
２４    遺影写真
２５    土台
２６    土台
２７    取付孔
２８    土台
２８ａ    上面
２８ｂ    側面
３０    供花
３１    木札
４０    小祭壇
【図１】
2015077200.tif 000003
【図２】
2015077200.tif 000004
【図３】
2015077200.tif 000005
【図５】
2015077200.tif 000006
【図６】
2015077200.tif 000007
【図８】
2015077200.tif 000008
【図４】
2015077200.tif 000009
【図７】
2015077200.tif 000010
【図９】
2015077200.tif 000011
【図１０】
2015077200.tif 000012